(57)【要約】【課題】色毎の劣化ばらつきを抑えて色合い変化をなくし、かつ十分な焼き付き防止を図ることができる自発光表示装置及び自発光表示方法を提供すること。【解決手段】自発光表示装置１１１は、自発光表示制御装置１０９及び自発光ディスプレイ１１０からなる。自発光表示制御装置１０９は、有機ＥＬの各色の劣化特性が同等となる目標色度を設定する目標色度設定部１２０、自発光ディスプレイ１１０の表示画面の固定アイコンの色度を算出する固定アイコン色度算出部１２１、固定アイコン色度が目標色度に近づくように入力画像信号に対して補正を行う画像処理部１２２とを備え、輝度低下する処理にあわせて、固定アイコン部の色度が目標色度に線形で近づくように補正する。【選択図】図６
2010286783.tif 000002
【特許請求の範囲】
【請求項１】
有機ＥＬからなる自発光ディスプレイと、
有機ＥＬの各色の劣化特性が同等となる目標色度を設定する目標色度設定手段と、
前記自発光ディスプレイの表示画面の焼き付き防止対象部の色度を算出する焼付き対象部色度算出手段と、
前記対象部の色度が前記目標色度に近づくように入力画像信号に対して補正を行う画像処理手段と、
を備える自発光表示装置。
【請求項２】
前記画像処理手段は、前記対象部の色度の補正とともに、輝度を低下させる補正を行う請求項１記載の自発光表示装置。
【請求項３】
前記画像処理手段は、前記対象部の色度が前記目標色度に線形で近づくように補正する請求項１記載の自発光表示装置。
【請求項４】
画像データを色と明るさに分離する色空間に変換し、
前記画像処理手段は、前記色空間の色度に基づいて補正する請求項１記載の自発光表示装置。
【請求項５】
画像データを色と明るさに分離する色空間に変換し、
前記色空間における前記対象部の色度と前記目標色度の色座標に基づいて、前記対象部の色度を補正する色補正係数を動的に設定する色補正係数設定手段とを備え、
前記画像処理手段は、前記動的設定された色補正係数を基に、前記対象部の色度が前記目標色度に近づくように補正する請求項１記載の自発光表示装置。
【請求項６】
前記色補正係数設定手段は、
前記色空間における前記対象部の色度と補正後の色度とがなす角θが一定値又は所定値以下となる前記色補正係数を設定する請求項５記載の自発光表示装置。
【請求項７】
前記色補正係数設定手段は、
前記θの最大許容値、及び／又は最小許容値の範囲で前記色補正係数を設定する請求項５記載の自発光表示装置。
【請求項８】
前記色補正係数設定手段は、
前記色空間を複数の領域に分割し、各領域において前記色補正係数を予め決定するとともに、
前記対象部の色度と前記目標色度とが位置する、前記領域に基づいて、前記色補正係数を設定する請求項５記載の自発光表示装置。
【請求項９】
前記色補正係数設定手段は、
前記色空間を複数の領域に分割し、各領域において前記色補正係数を予め決定するとともに、
前記色空間における前記対象部の色度と前記目標色度とがなす角が１８０°に近いとき、前記色補正係数を大きく設定する請求項５記載の自発光表示装置。
【請求項１０】
有機ＥＬの各色の劣化特性が同等となる目標色度を設定するステップと、
有機ＥＬからなる自発光ディスプレイの表示画面の焼き付き防止対象部の色度を算出するステップと、
前記対象部の色度が前記目標色度に近づくように入力画像信号に対して補正を行うステップと
を有する自発光表示方法。
【発明の詳細な説明】
【技術分野】
【０００１】
本発明は、有機ＥＬ（Organic Electro-Luminescence）ディスプレイなどの自発光表示装置及び自発光表示方法に関する。
【背景技術】
【０００２】
ＥＬディスプレイは自発光表示装置であるため、視野角が広く、応答速度が速い。また、バックライトが不要であるため、薄型軽量化が可能である。これらの理由から、近年、ＥＬディスプレイは、液晶表示装置に代わるフラットディスプレイとして注目されている。
【０００３】
ＥＬディスプレイは、ＥＬ素子の発光特性が発光時間の経過に伴って劣化し、同じ入力電流によって得られる輝度が徐々に低下する。このため、例えば画面の一定位置に同一の表示がなされる場合には、特定の画素の発光頻度のみが高くなるため、これらの画素は他の画素に比べて発光特性が著しく劣化し、焼付きが発生する問題がある。
【０００４】
図１は、ＥＬディスプレイを有する携帯電話機の表示画面を示す図である。図１に示すように、携帯電話機は、表示画面の上部に電池，アンテナ，時刻などのアイコンが表示され、表示画面の下部に各種ソフトキーが表示される。
【０００５】
自発光素子である有機ＥＬは発光すればするほど、材料劣化などにより焼き付きが生じる。電池，アンテナなどアイコン及びソフトキーなどの表示時間が長い固定パターン部において、焼き付きが顕著に発生しやすい。
【０００６】
特許文献１には、輝度制御する範囲を設定し、その範囲において輝度レベルを制御するＥＬディスプレイの表示装置が記載されている。特許文献１記載の装置は、ディスプレイの画像表示位置に応じたゲイン制御に加え、入力画像信号の輝度レベルにも応じたゲイン制御を行う。
【０００７】
特許文献２には、画面平均輝度をベースに中心輝度よりも周囲輝度を低下させるＰＤＰ（Plasma Display Panel）を備える映像表示装置が記載されている。特許文献２記載の装置は、消費電力や平均輝度レベルが設定値を超えた場合に輝度変調回路を動作させる。
【０００８】
特許文献３には、画面の高輝度静止画部分を検出し、検出部分のみの輝度を低下するＣＲＴの焼き付き防止装置が記載されている。
【先行技術文献】
【特許文献】
【０００９】
【特許文献１】特開２００６−２４３４３５号公報
【特許文献２】特開２００５−３２１６６４号公報
【特許文献３】特開２００５−３５１４４２号公報
【発明の概要】
【発明が解決しようとする課題】
【００１０】
しかしながら、このような従来の自発光表示装置における固定パターン部の焼き付き防止方法にあっては、以下のような課題があった。
【００１１】
従来の焼き付き防止方法は、画面全体や固定アイコン部を一定時間（例えば、数十秒）で輝度を低下させる処理を行っている。しかし、自発光表示素子は、赤、青、緑の色毎に輝度低下度合いが異なる。このため、輝度低下処理だけを行う従来の対策では、寿命は延びるものの、色合いが変化してしまう課題がある。以下、具体的に説明する。
【００１２】
図２は、有機ＥＬ材料の赤、青、緑の色別劣化特性例を示す図である。図２に示すように、有機ＥＬ材料は、緑、赤、青の順に材料劣化度合いが異なる。
【００１３】
図３は、固定アイコン部の明るさを通常表示より８０％低減した場合の輝度低下処理計算表を示す図である。アイコン１は、図４の電池残量アイコン、アイコン２は、図４のアンテナアイコンである。アイコン１，２のデジタル値をγ＝２．２で明るさに変換し、変換後の数値に０．２を掛け、明るさを２０％にした後、デジタル値に再変換している。図３に示すように、明るさ８０％低減した場合には、赤、青のデジタル値に対して緑のデジタル値が大きく乖離（２倍以上）する。これは色変化となって現われることになる。
【００１４】
図４は、固定アイコン部の色変化を示す図であり、図４（ａ）は、通常表示の場合、図４（ｂ）は、明るさ８０％低減した場合である。図中、括弧内数値は、Ｒ，Ｇ，Ｂの色データ（デジタル値）である。図４に示すように、画面全体を暗くする従来の焼き付き防止方法では、固定アイコン部の色変化が発生するという課題がある。
【００１５】
本発明は、かかる点に鑑みてなされたものであり、色毎の劣化ばらつきを抑えて色合い変化をなくし、かつ十分な焼き付き防止を図ることができる自発光表示装置及び自発光表示方法を提供することを目的とする。
【課題を解決するための手段】
【００１６】
本発明の自発光表示装置は、有機ＥＬからなる自発光ディスプレイと、有機ＥＬの各色の劣化特性が同等となる目標色度を設定する目標色度設定手段と、前記自発光ディスプレイの表示画面の焼き付き防止対象部の色度を算出する焼付き対象部色度算出手段と、前記対象部の色度が前記目標色度に近づくように入力画像信号に対して補正を行う画像処理手段と、を備える構成を採る。
【００１７】
本発明の自発光表示方法は、有機ＥＬの各色の劣化特性が同等となる目標色度を設定するステップと、有機ＥＬからなる自発光ディスプレイの表示画面の焼き付き防止対象部の色度を算出するステップと、前記対象部の色度が前記目標色度に近づくように入力画像信号に対して補正を行うステップとを有する。
【発明の効果】
【００１８】
本発明によれば、色毎の劣化ばらつきを抑えて色合い変化をなくし、かつ十分な焼き付き防止を図ることができる。
【図面の簡単な説明】
【００１９】
【図１】ＥＬディスプレイを有する携帯電話機の表示画面を示す図
【図２】有機ＥＬ材料の赤、青、緑の色別劣化特性例を示す図
【図３】従来の携帯端末装置の固定アイコン部の明るさを通常表示より８０％低減した場合の輝度低下処理計算表を示す図
【図４】従来の携帯端末装置の固定アイコン部の色変化を示す図
【図５】本発明の実施の形態１に係る自発光表示装置を備える携帯端末装置の構成を示すブロック図
【図６】上記実施の形態１に係る自発光表示装置の自発光表示制御装置の構成を示すブロック図
【図７】上記実施の形態１に係る自発光表示装置のＨＳＶ空間を説明する図
【図８】上記実施の形態１に係る自発光表示装置を備える携帯端末装置の固定パターン部の色を色シフトが発生しない目標色に近づける色度補正を説明する図
【図９】上記実施の形態１に係る自発光表示装置の固定アイコン画像データの補正処理を示すフロー図
【図１０】上記実施の形態１に係る自発光表示装置の目標色度の変換結果を示す図
【図１１】上記実施の形態１に係る自発光表示装置の補正前のアイコン画像データをＲＧＢからＨＳＶ空間に変換する例を示す図
【図１２】上記実施の形態１に係る自発光表示装置の固定パターン部の色を目標色に近づける色度補正を説明する図
【図１３】図１２の具体的数値例を表にして示す図
【図１４】上記実施の形態１に係る自発光表示装置の補正後のＨＳＶ座標Ｈ，Ｓ，Ｖを表にして示す図
【図１５】上記実施の形態１に係る自発光表示装置のＨＳＶ空間からＲＧＢ空間への変換例を表にして示す図
【図１６】上記実施の形態１に係る自発光表示装置の輝度低下及び色補正後の固定アイコン部の色変化を示す図
【図１７】上記実施の形態１に係る自発光表示装置の固定アイコン部の明るさを通常表示より８０％低減した場合の輝度低下処理計算表を示す図
【図１８】本発明の実施の形態２に係る自発光表示装置の自発光表示制御装置の構成を示すブロック図
【図１９】上記実施の形態２に係る自発光表示装置の固定アイコン画像データの補正処理を示すフロー図
【図２０】上記実施の形態２に係る自発光表示装置の領域分割による補正量の決定を説明する図
【図２１】上記実施の形態２に係る自発光表示装置の領域分割による補正量の算出例を説明する図
【図２２】上記実施の形態２に係る自発光表示装置のθによる補正量の決定を説明する図
【発明を実施するための形態】
【００２０】
以下、本発明の実施の形態について図面を参照して詳細に説明する。
【００２１】
（実施の形態１）
図５は、本発明の実施の形態１に係る自発光表示装置を備える携帯端末装置の構成を示すブロック図である。本実施の形態は、自発光表示装置として有機ＥＬディスプレイを備える携帯電話機／ＰＨＳ（Personal Handy-Phone System）を適用した例である。また、携帯電話機のほか、ＰＤＡ（Personal Digital Assistants：携帯情報端末）、携帯ゲーム機などの携帯機器に適用できる。
【００２２】
図５に示すように、携帯電話機１００は、アンテナ１０１、無線送受信部１０２、送受話回路１０３、送受話器１０４、操作部１０５、撮像装置１０６、背面撮像装置１０７、表示装置１０８、自発光表示制御装置１０９、自発光ディスプレイ１１０、メモリ１１２、及び制御部１１３を備えて構成される。上記自発光表示制御装置１０９及び自発光ディスプレイ１１０は、自発光表示装置１１１を構成する。
【００２３】
自発光表示制御装置１０９は、自発光ディスプレイ１１０の表示画面に違和感を与えることなく、かつ低消費電力化及び焼き付き防止を図る自発光表示制御を行う。自発光表示制御装置１０９の詳細については、後述する。
【００２４】
自発光ディスプレイ１１０は、例えば有機ＥＬディスプレイである。ここでは、自発光ディスプレイ１１０は、携帯電話機１００の主表示装置として用いている。携帯電話機１００の背面表示装置としては、ＬＣＤディスプレイ等からなる表示装置１０８であるが、表示装置１０８が自発光ディスプレイ、又は共に自発光ディスプレイであってもよい。また、自発光ディスプレイ１１０は、携帯端末の場合は、軽量化・薄型化の観点からＥＬディスプレイが適しているが自発光ディスプレイであればよく、例えばＰＤＰ（Plasma Display Panel）であってもよい。
【００２５】
制御部１１３は、ＣＰＵ等により構成され、携帯電話機１００全体の制御を行うとともに、自発光表示装置１１１の表示制御を行う。制御部１１３は、自発光ディスプレイ１１０に表示する画像データを入力画像信号として出力する。また、制御部１１３は、携帯電話機１００のアプリケーションを実行する。アプリケーションは、ゲームやブラウザなどのアプリケーションソフトのみならず、携帯電話機１００の携帯機器制御ソフト（電源ＯＮ／ＯＦＦ、表示装置ＯＮ／ＯＦＦ、横画面／縦画面使用など）を含む。
【００２６】
図６は、上記自発光表示制御装置１０９の構成を示すブロック図である。
【００２７】
図６に示すように、自発光表示制御装置１０９は、マイクロプロセッサ等により構成され、目標色度設定部１２０と、固定アイコン色度算出部１２１と、画像処理部１２２とを備える。
【００２８】
目標色度設定部１２０は、有機ＥＬの各色の劣化特性が同等となる目標色度を設定する。目標色度設定の詳細については、後述する。
【００２９】
固定アイコン色度算出部１２１は、自発光ディスプレイ１１０の表示画面の焼き付き防止対象部（例えば、固定アイコン）の色度を算出する。
【００３０】
画像処理部１２２は、固定アイコン色度が目標色度に近づくように入力画像信号に対して補正を行う。
【００３１】
以下、上述のように構成された自発光表示装置１１１の動作について説明する。
【００３２】
まず、本発明の基本的な考え方について説明する。
【００３３】
図２の色別劣化特性に示すように、有機ＥＬ材料は、赤、青、緑の各材料で劣化係数が異なる。本発明者は、各材料で劣化特性が異なることに着目し、焼き付き対策をする場合に輝度低下のみならず、劣化特性が異なることにより発生するカラーシフト対策を採る。
【００３４】
本実施の形態では、焼き付き対策である一定時間経過後に輝度を低下する処理にあわせて、固定パターン部の色を、色シフトが発生しない目標色に近づける画像補正を施す。このとき目標色に近づける割合は一定値である。具体的には、輝度を低下させるとともに、各色の劣化度合いが同じになるような目標色度に近づけるように固定アイコン部の色を変化させる。ここで、上記目標色度とは、有機ＥＬ材料において、各Ｒ，Ｇ，Ｂの劣化特性が同等となるような色のことをいう。但し、かなり無彩色に近いため、目標色度を無彩色としてもよい。
【００３５】
〔ＨＳＶ処理と目標色〕
固定パターン部のアイコン画像の補正のため、ＨＳＶ空間で明るさと色とに分離してそれぞれ補正を行う。
【００３６】
図７は、ＨＳＶ空間を説明する図である。図７に示すように、ＨＳＶ空間は、色相（Hue）、彩度（Saturetion）及び明度（Value）から構成される色空間である。ＨＳＶ空間は、明るさと色を別々に演算したい場合などに用いられる。ＨＳＶ空間に限らず、ＨＳＩ空間、ＹＵＶ空間など、明るさと色を分離する色空間であれば使用可能である。
【００３７】
図８は、固定パターン部の色を色シフトが発生しない目標色に近づける色度補正を説明する図である。
【００３８】
図８に示すように、ＨＳＶ空間のＨＳを用いて、ｘｙ直交座標系に変換後、固定アイコン色度Ｓが目標色度Ｓ０に近づくように色度を補正する。
【００３９】
図８では、固定アイコン色度Ｓは、ＨＳＶ空間のＨＳ値で示され、ｘｙ直交座標の第２象限にある。また、目標色度Ｓ０は、ＨＳＶ空間のＨＳ値で示され、ｘｙ直交座標の第１象限にある。本実施の形態では、固定アイコン色度Ｓが目標色度Ｓ０に線形（図８破線参照）で近づくように色度を補正する。補正後のアイコン色度は、図８●印で示される。
【００４０】
図９は、固定アイコン画像データの補正処理を示すフローチャートであり、補正後のアイコン画像データ（ＲＧＢ）を算出する。図中、Ｓはフローの各ステップを示す。本フローは、自発光表示制御装置１０９により所定タイミングで繰返し実行される。
【００４１】
自発光表示制御装置１０９は、画像データを色と明るさを分離できる色空間に変換し、それぞれに対して補正処理を実施する。<色度補正>と<明るさ補正>である。本実施の形態では、画像処理によく用いられるＨＳＶ空間を使用している。
【００４２】
<色度補正>
ステップＳ１では、目標色度設定部１２０は、目標色度を算出する。具体的には、目標色度設定部１２０は、有機ＥＬの各色劣化特性から劣化量が同じとなる色のＨＳＶ座標（Ｈ０，Ｓ０，Ｖ０）を算出する。
【００４３】
ステップＳ２では、固定アイコン色度算出部１２１は、補正前アイコン画像データのＨＳＶ値を算出する。固定アイコン色度算出部１２１は、補正前のアイコン画像データをＲＧＢ⇒ＨＳＶ座標（Ｈｉ，Ｓｉ，Ｖｉ）に変換する。
【００４４】
ステップＳ３では、固定アイコン色度算出部１２１は、色補正係数を設定する。色補正係数は、画像の見栄えなどにより決定する。例えば、色補正係数は、３３％に設定する。なお、色補正係数を動的に変える例については、実施の形態２により後述する。
【００４５】
ステップＳ４では、画像処理部１２２は、補正後アイコン画像データのＨＳＶ値を算出する。具体的には、画像処理部１２２は、Ｈｉ，Ｓｉ及びＨ０，Ｓ０を用いて補正後のアイコン画像のＨ，Ｓ値を算出する。
【００４６】
<明るさ補正>
ステップＳ５では、固定アイコン色度算出部１２１は、補正前アイコン画像データのＨＳＶ値を算出する。具体的には、固定アイコン色度算出部１２１は、補正前のアイコン画像データをＲＧＢ⇒ＨＳＶ座標（Ｈｉ，Ｓｉ，Ｖｉ）に変換する。
【００４７】
ステップＳ６では、固定アイコン色度算出部１２１は、輝度補正係数を設定する。輝度補正係数は、画像の見栄えなどにより決定する。例えば、輝度補正係数は、２０％に設定する。
【００４８】
ステップＳ７では、画像処理部１２２は、補正後アイコン画像データのＨＳＶ値を算出する。具体的には、画像処理部１２２は、Ｖｉに輝度補正係数を掛け、Ｖ値を算出する。
【００４９】
ステップＳ８では、画像処理部１２２は、補正後のアイコン画像データＨＳＶ値をＲＧＢへ変換し、補正後のアイコン画像データＲＧＢ値を出力する。
【００５０】
上記フローを実施することにより、補正後のアイコン画像データ（ＲＧＢ）を算出することができる。以下、固定アイコン画像データの補正方法について更に具体的に説明する。
【００５１】
〔補正に必要なパラメータ〕
補正に必要なパラメータには、有機ＥＬ各色における劣化特性、γ特性、輝度補正係数、及び色補正係数がある。
【００５２】
有機ＥＬ各色における劣化特性（白ベタ表示）は、Ｇの劣化特性を１とした場合における劣化のし易さである。例えば、図２に示すように、Ｒ：１．１５  Ｇ：１．００  Ｂ：１．２５である。
【００５３】
γ特性は、ディスプレイ表示の入力データ−ディスプレイ表示明るさ特性である。例えば、γ：２．２である。
【００５４】
輝度補正係数は、輝度低下補正時における輝度低下率である。例えば、輝度補正係数は、２０％とする。
【００５５】
色補正係数は、目標の色に対してどの程度色を近づけるかを示す係数である。例えば、色補正係数は、３３％とする。
【００５６】
〔目標色度の算出〕
目標色度の計算の過程は、以下となる。
【００５７】
有機ＥＬ材料の輝度劣化は明るさが２倍になれば、劣化も２倍の特性となる反比例と想定している。これと異なる特性である場合は、その輝度−材料劣化特性を用いて計算する。
【００５８】
有機ＥＬ各色の輝度劣化特性は、Ｒ：１．１５  Ｇ：１．００  Ｂ：１．２５である。劣化特性が同じになるような色（デジタル座標）は、次式（１）で求められる。
【００５９】
Ｒ０＝（１/１．１５）（１/γ）＊２５５＝２３９
Ｇ０＝（１/１．００）（１/γ）＊２５５＝２５５
Ｂ０＝（１/１．２５）（１/γ）＊２５５＝２３０
γ＝２．２                                              …（１）
【００６０】
明るさと色を別に計算するため、上記式（１）をＨＳＶ空間に次式（２）の計算方式を用いて変換する。
ＲＧＢからＨＳＶ空間への変換；
Ｒ＝（Ｒ０/２５５)γ＝（２３９/２５５）２．２＝０．８７０
Ｇ＝（Ｇ０/２５５)γ＝（２５５/２５５）２．２＝１．０００
Ｂ＝（Ｂ０/２５５）γ＝（２３０/２５５）２．２＝０．８００  …（２）
【００６１】
ＨＳＶ値のＭＡＸを（Ｒ，Ｇ，Ｂ）値の最大値と等しく、ＭＩＮをその最小値と等しいする。次式（３）で示される。
【数１】
2010286783.tif 000003
【００６２】
図１０は、目標色度の変換結果を示す図である。
【００６３】
図１０において、目標とするＨ，ＳをそれぞれＨ０，Ｓ０とすると、Ｈ０＝９９．１３、Ｓ０＝０．２０となる。
【００６４】
固定アイコンのＲＧＢからＨＳＶ空間への変換；
図１１は、補正前のアイコン画像データをＲＧＢからＨＳＶ空間に変換する例を示す図である。
【００６５】
上述の計算方法を用いて、固定アイコン部のＲＧＢをＨＳＶ空間へ変換すると、図１１に示すようになる。
【００６６】
〔補正後のアイコン色度の算出〕
補正後のＨＳＶ空間の座標を（Ｈ，Ｓ，Ｖ）、ＲＧＢ空間の座標を（Ｒ’，Ｇ’，Ｂ’）とする。
【００６７】
明度Ｖの計算；
目標としている輝度補正係数は、２０％であるため、明度Ｖは次式（４）となる。
Ｖ＝固定アイコンの明度Ｖｉ×０．２＝０．８７５×０．２＝０．１７５…（４）
【００６８】
色相（Ｈ）、色彩（Ｓ）計算；
図１２は、固定パターン部の色を目標色に近づける色度補正を説明する図である。図１２（ａ）は、極座標系をｘｙ直交座標系に変換した場合を、図１２（ｂ）は、ｘｙ直交座標系を極座標系に再度変換した場合を示す。図１３は、図１２の具体的数値例を表にして示す図である。図１３（ａ）は、図１２（ａ）に対応し、図１３（ｂ）は、図１２（ｂ）に対応する。
【００６９】
図１２（ａ）に示すように、ＨＳＶ空間のＨＳを用いて、ｘｙ直交座標系に変換後、固定アイコン色度Ｓｉが目標色度Ｓ０に近づくように色度を補正する。
【００７０】
図１２（ａ）では、固定アイコン色度Ｓｉは、ＨＳＶ空間のＨＳ値で示され、ｘｙ直交座標の第２象限にある。また、目標色度Ｓ０は、ＨＳＶ空間のＨＳ値で示され、ｘｙ直交座標の第２象限にある。本実施の形態では、固定アイコン色度Ｓが目標色度Ｓ０に線形（図１２（ａ）破線参照）で近づくように色度を補正する。補正後のアイコン色度は、図１２●印で示される。
【００７１】
ＨＳＶ空間は、極座標系であるため、目標の色度であるＨ０，Ｓ０と固定アイコン部の明度であるＨ’，Ｓ’を直交座標系に変換する。そして、図１２（ａ）に示すように、Ｈ０，Ｓ０とＨ’，Ｓ’の２点を直線で結び、その直線上において、固定アイコン部から色補正係数３３％分、目標色度に近づけた点を補正後のアイコン色度とする。その後、図１２（ｂ）に示すように、再度極座標系に変換し、ＨとＳを得る。
【００７２】
図１４は、補正後のＨＳＶ座標Ｈ，Ｓ，Ｖを表にして示す図である。
【００７３】
上記演算により補正後のＨＳＶ座標Ｈ，Ｓ，Ｖは、図１４に示すようになる。
【００７４】
ＨＳＶ空間からＲＧＢ空間への変換；
算出したＨＳＶを、下記変換式（５）を用いてＲＧＢ空間へ変換する。
【数２】
2010286783.tif 000004
【００７５】
図１５は、ＨＳＶ空間からＲＧＢ空間への変換例を表にして示す図である。図１５（ａ）は、ＨＳＶ空間の変換式（５）に代入するパラメータを示し、図１５（ｂ）は、算出したＲＧＢ値を示す。
【００７６】
上記算出したＲＧＢ値を、次式（６）を用いてデジタル値に変換し、ＲＧＢデジタル値を得る。
ＲＧＢ値からＲＧＢデジタル値への変換；
Ｒ’＝Ｒ（１/γ）＊２５５＝０．０８８９３（１/２．２）＊２５５＝８５
Ｇ’＝Ｇ（１/γ）＊２５５＝０．１７５０３（１/２．２）＊２５５＝１１５
Ｂ’＝Ｂ（１/γ）＊２５５＝０．０４６７１（１/２．２）＊２５５＝６３  …（６）
【００７７】
図１６は、輝度低下及び色補正後の固定アイコン部の色変化を示す図であり、図１６（ａ）は、通常表示の場合、図１６（ｂ）は、明るさ８０％低減のみの場合、図１６（ｃ）は、明るさ８０％低減及び色補正した場合である。図中、括弧内数値は、Ｒ，Ｇ，Ｂの色データ（デジタル値）である。Ｒ，Ｇ，Ｂの色データ（デジタル値）である。
【００７８】
図１６（ｂ）に示すように、明るさ８０％低減のみの場合は、焼き付き防止効果を得ることはできるものの、固定アイコン部の色変化が発生する。すなわち、赤、青のデジタル値に対して緑のデジタル値が大きく乖離（２倍以上）し、色変化となって現われている。
【００７９】
これに対して、本実施の形態では、図１６（ｃ）に示すように、明るさ８０％低減と同時に、上述した色補正を実施する。図１６（ｃ）では、目標色に３３％近づけた場合の例である。赤、青のデジタル値と緑のデジタル値との差は小さく、色変化は目立たない。
【００８０】
図１７は、固定アイコン部の明るさを通常表示より８０％低減した場合の輝度低下処理計算表を示す図である。アイコン１は、図４の電池残量アイコン、アイコン２は、図４のアンテナアイコンである。アイコン１，２のデジタル値をγ＝２．２で明るさに変換し、変換後の数値に０．２を掛け、明るさを２０％にした後、デジタル値に再変換している。また、Ｇの劣化係数で規格化している。
【００８１】
図１７の「輝度低下」に示すように、明るさ８０％低減のみの場合には、Ｒ，Ｇ，Ｂの色データ（デジタル値）は、（０．３８０，１，０．００５）であり、赤、青のデジタル値（特に、青）が大きく乖離する。これに対して、本実施の形態では、図１７の「輝度低下彩度低下」に示すように、Ｒ，Ｇ，Ｂの色データ（デジタル値）は、（０．５８４，１，０．３３４）であり、赤、青のデジタル値（特に、青）が緑のデジタル値に近づいている。
【００８２】
このように、本実施の形態では、輝度低下のみの場合と比較し、Ｒ，Ｂ共に、Ｇ＝１に近づいている。色毎の劣化ばらつきを抑えることができる。
【００８３】
以上詳細に説明したように、本実施の形態によれば、自発光表示装置１１１は、自発光表示制御装置１０９及び自発光ディスプレイ１１０からなる。自発光表示制御装置１０９は、有機ＥＬの各色の劣化特性が同等となる目標色度を設定する目標色度設定部１２０、自発光ディスプレイ１１０の表示画面の固定アイコンの色度を算出する固定アイコン色度算出部１２１、固定アイコン色度が目標色度に近づくように入力画像信号に対して補正を行う画像処理部１２２とを備え、輝度低下する処理にあわせて、固定アイコン部の色度が目標色度に線形で近づくように補正する。色毎の劣化ばらつきを抑えて色合い変化をなくし、かつ十分な焼き付き防止を図ることができる。
【００８４】
（実施の形態２）
実施の形態１は、焼き付き対策の輝度低下処理にあわせて、固定パターン部の色を、色シフトが発生しない目標色に近づける画像補正を施している。このとき目標色に近づける割合は一定値である。これにより、色毎の劣化ばらつきを抑えて色合い変化をなくし、かつ十分な焼き付き防止を図ることができる。
【００８５】
目標色に近づける割合を一定の割合として補正することで、信号処理負荷を軽減することができる。しかし、補正量を一定にしてしまうと、固定パターン部の色度と目標色度の色座標配置によっては、補正時に固定パターン部の色度が大幅に変わりユーザに強い違和感を与えてしまうおそれがある。
【００８６】
実施の形態２では、固定パターン部の色度と目標色度の色座標から、補正すると固定パターン部の色度が大幅に変わってしまう場合には補正量を少なく、また、補正しても固定パターン部の色度が少ししか変化しない場合は補正量を大きくするような処理を追加する。すなわち、固定パターン部の色度と目標色度の色座標配置によって、色補正係数を動的に変化させる。
【００８７】
図１８は、本発明の実施の形態２に係る自発光表示装置１１１Ａの自発光表示制御装置の構成を示すブロック図である。図６と同一構成部分には同一符号を付している。本実施の形態の自発光表示装置１１１Ａは、図５の自発光表示装置１１１に代えて適用される。
【００８８】
図１８に示すように、自発光表示制御装置１３０は、マイクロプロセッサ等により構成され、目標色度設定部１２０と、色補正係数設定部１３１と、画像処理部１２２とを備える。
【００８９】
自発光表示制御装置１３０は、画像データを色と明るさを分離できる色空間に変換し、それぞれに対して補正処理を実施する。本実施の形態では、実施の形態１と同様にＨＳＶ空間を使用している。
【００９０】
色補正係数設定部１３１は、画像データを色と明るさに分離するＨＳＶ空間に変換し、ＨＳＶ空間における固定アイコン色度と目標色度の色座標に基づいて、固定アイコン色度の色度を補正する色補正係数を動的に設定する。
【００９１】
画像処理部１２２は、動的設定された色補正係数を基に、固定アイコン色度が目標色度に近づくように入力画像信号に対して補正を行う。
【００９２】
図１９は、自発光表示装置１１１Ａを備える携帯端末装置の固定アイコン画像データの補正処理を示すフローチャートであり、図９と同一ステップには同一符号を付して重複箇所の説明を省略する。
【００９３】
<色度補正>
ステップＳ１では、目標色度設定部１２０は、有機ＥＬの各色劣化特性から劣化量が同じとなる色のＨＳＶ座標（Ｈ０，Ｓ０，Ｖ０）を算出する。
【００９４】
ステップＳ２では、色補正係数設定部１３１は、補正前アイコン画像データのＨＳＶ値を算出する。色補正係数設定部１３１は、補正前のアイコン画像データをＲＧＢ⇒ＨＳＶ座標（Ｈｉ，Ｓｉ，Ｖｉ）に変換する。
【００９５】
ステップＳ１１では、色補正係数設定部１３１は、色補正係数を動的設定する。具体的には、色補正係数設定部１３１は、Ｈ０，Ｓ０値及びＨｉ，Ｓｉ値から補正量を算出する。
【００９６】
ステップＳ１２では、色補正係数設定部１３１は、補正後アイコン画像データのＨＳＶ値を算出する。具体的には、色補正係数設定部１３１は、Ｈｉ，ＳｉとＨ０，Ｓ０及び、算出した補正量を用いてアイコン画像データを補正し、補正後のアイコン画像のＨ，Ｓ値を算出する。
【００９７】
<明るさ補正>
ステップＳ５では、色補正係数設定部１３１は、補正前のアイコン画像データをＲＧＢ⇒ＨＳＶ座標（Ｈｉ，Ｓｉ，Ｖｉ）に変換する。
【００９８】
ステップＳ６では、色補正係数設定部１３１は、輝度補正係数を設定する。輝度補正係数は、画像の見栄えなどにより決定する。例えば、輝度補正係数は、２０％に設定する。
【００９９】
ステップＳ７では、画像処理部１２２は、補正後アイコン画像データのＨＳＶ値を算出する。具体的には、画像処理部１２２は、Ｖｉに輝度補正係数を掛け、Ｖ値を算出する。
【０１００】
ステップＳ８では、画像処理部１２２は、補正後のアイコン画像データＨＳＶ値をＲＧＢへ変換し、補正後のアイコン画像データＲＧＢ値を出力する。
【０１０１】
上記フローを実施することにより、補正後のアイコン画像データ（ＲＧＢ）を算出することができる。
【０１０２】
本実施の形態は、色補正係数を動的に変化させる。以下、色補正係数を動的に変化させる補正方法について具体的に説明する。
【０１０３】
〔具体例１〕
色領域を６分割し、それぞれのエリアで補正量を設定しておく。目標色度と固定アイコン色度が入るエリアにより補正量を決定する。
【０１０４】
図２０は、領域分割による補正量の決定を説明する図である。図２１は、領域分割による補正量の算出例を説明する図である。
【０１０５】
図２０に示すように、座標領域を大きな色のくくりで６分割し、それぞれの領域において予め補正量を決定しておく。
【０１０６】
図２１（ａ）に示すように、目標色度が黄エリアで、固定アイコン色度が水色エリアの場合、補正後のアイコン色度は大きく色が変化することが予想されるため、比較的小さめな補正量とする。
【０１０７】
図２１（ｂ）に示すように、目標色度が黄エリアで、固定アイコン色度が青エリアの場合、補正後のアイコン色度は大きく色が変化しないことが予想されるため、比較的大きな補正量とする。
【０１０８】
本発明者は、図２１（ａ）に示すように、目標色度と固定アイコン色度が大きい角度を水色エリアの場合、補正後のアイコン色度は大きく色が変化することが予想されるため、比較的小さめな補正量とする。
【０１０９】
色補正係数設定部１３１は、固定アイコン色度がどの領域に位置するかを算出し、その領域に設定されている補正量を用いて色度補正をする。
【０１１０】
これにより、補正による色変化が大きすぎてしまうおそれをなくすことができ、かつ計算量などを削減することができる。
【０１１１】
〔具体例２〕
固定アイコン色度と補正後のアイコン色度のなす角をθとしたときに、許容できるθの値を予め設定しておき、θを基に補正量を算出する。
【０１１２】
図２２は、θによる補正量の決定を説明する図である。
【０１１３】
図２２（ａ）に示すように、固定アイコン色度と補正後の色度がなす角をθとしたときに、θがある一定値になるように補正量ｄを算出する。図２２（ａ）は、θが大きい場合、図２２（ｂ）は、θが小さい場合である。
【０１１４】
θが大きければ大きいほど、固定アイコン色度と補正後の色度の色合いが異なる。本実施の形態では、許容できるθを予め決定しておき、そのθの値から補正量を算出する。また、θが小さい場合であっても補正量が大きすぎる結果となる場合も存在するため、事前に補正量の最大値も決定しておく。
【０１１５】
これにより、補正による色変化が大きすぎてしまうおそれをなくすことができ、かつ計算量などを削減することができる。
【０１１６】
このように、本実施の形態によれば、固定アイコン色度の領域、又は固定アイコン部の色度と補正後の色度とがなす角により、色補正係数を動的に変化させているので、より最適な補正量を設定することができる。これにより、実施の形態１の効果、すなわち色毎の劣化ばらつきを抑えて色合い変化をなくし、かつ十分な焼き付き防止効果をより一層高めることができる。
【０１１７】
以上の説明は本発明の好適な実施の形態の例証であり、本発明の範囲はこれに限定されることはない。
【０１１８】
上記各実施の形態では、自発光表示装置として有機ＥＬディスプレイに適用した場合について説明しているが、自発光表示装置であればどのような表示装置あってもよい。例えば、ＰＤＰを備える映像表示装置であってもよく、ＰＤＰを備える映像表示装置においても、同様に低消費電力化及び焼き付きに対する長寿命化を図ることができる。
【０１１９】
上記各実施の形態では、自発光表示装置を備える電子機器として携帯電話機などの携帯端末に適用した例について説明しているが、携帯電話機に限らずＰＤＡ等の携帯情報端末、パーソナルコンピュータ又はその融合された装置、さらにはＭＰ３プレーヤー、ＨＤＤプレーヤー、携帯型ゲーム機などの携帯機器に適用可能である。
【０１２０】
また、上記各実施の形態では、自発光表示装置及び自発光表示方法という名称を用いたが、これは説明の便宜上であり、装置は映像表示装置、ディスプレイ表示装置等、また方法は表示方法等であってもよい。
【０１２１】
さらに、上記自発光表示装置を構成する各部、例えば画像処理部、目標色度設定部の種類・機能、その数及び接続方法などはどのようなものでもよい。また、焼き付き防止対象部を固定アイコン部として説明したが、一例を示したものでありこれに限定されないことは勿論である。
【０１２２】
以上説明した自発光表示方法は、この自発光表示方法を機能させるためのプログラムでも実現される。このプログラムはコンピュータで読み取り可能な記録媒体に格納されている。
【産業上の利用可能性】
【０１２３】
本発明に係る自発光表示装置及び自発光表示方法は、入力画像信号に応じた画像を表示するディスプレイ表示装置、特に有機ＥＬディスプレイ表示装置に有用である。
【符号の説明】
【０１２４】
１００  携帯電話機
１０１  アンテナ
１０２  無線送受信部
１０３  送受話回路
１０４  送受話器
１０５  操作部
１０６  撮像装置
１０７  背面撮像装置
１０８  表示装置
１０９，１３０  自発光表示制御装置
１１０  自発光ディスプレイ
１１１，１１１Ａ  自発光表示装置
１１２  メモリ
１１３  制御部
１２０  目標色度設定部
１２１  固定アイコン色度算出部
１２２  画像処理部
１３１  色補正係数設定部
【図１】
2010286783.tif 000005
【図２】
2010286783.tif 000006
【図３】
2010286783.tif 000007
【図４】
2010286783.tif 000008
【図５】
2010286783.tif 000009
【図６】
2010286783.tif 000010
【図７】
2010286783.tif 000011
【図８】
2010286783.tif 000012
【図９】
2010286783.tif 000013
【図１０】
2010286783.tif 000014
【図１１】
2010286783.tif 000015
【図１２】
2010286783.tif 000016
【図１３】
2010286783.tif 000017
【図１４】
2010286783.tif 000018
【図１５】
2010286783.tif 000019
【図１６】
2010286783.tif 000020
【図１７】
2010286783.tif 000021
【図１８】
2010286783.tif 000022
【図１９】
2010286783.tif 000023
【図２０】
2010286783.tif 000024
【図２１】
2010286783.tif 000025
【図２２】
2010286783.tif 000026